(57)【要約】      （修正有）【課題】非接触充電方式と、有線方式とを具え、電源装置自身に充電する場合、もしくは電源装置から電子製品に充電する場合のいずれにおいても、充電方式を任意に選択できる携帯式電源装置を提供する。【解決手段】第１コネクタ１１と、第１コネクタ１１に電気的に接続する変圧モジュール１２と、変圧モジュール１２に電気的に接続する集電ユニット１３と、集電ユニット１３に電気的に接続するブースタモジュール１４と、ブースタモジュール１４に電気的に接続する第２コネクタ１５と、ブースタモジュール１４と変圧モジュール１２とに電気的に接続する無線送受信モジュール１６と、を具える。【選択図】図１
0003185217.tif 000002
【実用新案登録請求の範囲】
【請求項１】
少なくとも一以上の第１コネクタと、
該第１コネクタに電気的に接続する変圧モジュールと、
該変圧モジュールに電気的に接続する集電ユニットと、
該集電ユニットに電気的に接続するブースタモジュールと、
該ブースタモジュールに電気的に接続する少なくとも一以上の第２コネクタと、
該ブースタモジュールと該変圧モジュールとに電気的に接続する無線送受信モジュールと、を具えてなることを特徴とする携帯式電源装置。
【請求項２】
前記第１コネクタがユニバーサル・シリアル・バスコネクタか、もしくはマイクロユニバーサル・シリアル・バスコネクタであり、かつ前記第２コネクタがユニバーサル・シリアル・バスコネクタか、もしくはマイクロユニバーサル・シリアル・バスコネクタであることを特徴とする請求項１に記載の携帯式電源装置。
【請求項３】
前記無線送受信モジュールが電気エネルギーを受信、もしくは送信できる無線送受信モジュールであって、かつ無線送受信モジュールと二次電池を具える電子装置に非接触式充電を行う送受信モジュールであることを特徴とする請求項１に記載の携帯式電源装置。
【請求項４】
前記携帯式電源装置がさらに前記ブースタモジュールに電気的に接続する発光モジュールを具えることを特徴とする請求項１に記載の携帯式電源装置。
【考案の詳細な説明】
【技術分野】
【０００１】
この考案は電源装置に関し、特に電子装置に電力を供給する携帯式の電源装置に関する。
【背景技術】
【０００２】
科学技術の弛まぬ進歩によって、昨今の電子製品はサイズが縮小し、携帯可能になってきた。例えば、携帯電話機、パーソナルデジタルアシスト（ＰＤＡ）、ナビゲーター、モバイルインターネットデバイス（ＭＩＤ）、もしくは電子ブックなどの電子製品である。これら電子製品は、携帯に便利で、随時使用できるという利点を有するが、一方では処理能力の増大による高速化にともない、いわゆる電力の持ち時間が不十分になるという問題が現れた。
【０００３】
そこで、上述する携帯式の各種電子製品に設けられた二次電池に比してさらに容量の大きい二次電池を具えた携帯式の電源装置が開発された。係る携帯式の電源装置を利用して、電力を消耗した電子装置に充電をする。係る電源装置は、携帯に便利という利点を有する。
【０００４】
然しながら、従来の携帯式電源装置は、電源装置自身に充電する場合、もしくは電源装置から電子製品に充電する場合のいずれも有線の方式でしか充電することができない。このため、充電コードを紛失すると、充電を行うことができなくなり、深刻な状況に陥る。この点において改善が望まれていた。そこで非接触充電方式が開発された。但し、非接触式充電方式を採用した携帯式電源装置は有線方式による充電を選択することができない。この点においても欠点といえる。
【考案の概要】
【考案が解決しようとする課題】
【０００５】
この考案は、非接触充電方式と、有線方式とを具え、電源装置自身に充電する場合、もしくは電源装置から電子製品に充電する場合のいずれにおいても、充電方式を任意に選択できる携帯式電源装置を提供することを課題とする。
【課題を解決するための手段】
【０００６】
そこで、本考案者は従来の製品にみられる欠点に鑑み鋭意研究を重ねた結果、少なくとも一以上の第１コネクタと、該第１コネクタに電気的に接続する変圧モジュールと、該変圧モジュールに電気的に接続する集電ユニットと、該集電ユニットに電気的に接続するブースタモジュールと、該ブースタモジュールに電気的に接続する少なくとも一以上の第２コネクタと、該ブースタモジュールと該変圧モジュールとに電気的に接続する無線送受信モジュールとを具えてなり、電源装置自身への充電、もしくは外部の電子装置に対する充電を非接触充電方式、もしくは有線方式で行う携帯式電源装置によって課題を解決できる点に着眼し、係る知見に基づいて本考案を完成させた。
【０００７】
以下この考案について、具体的に説明する。請求項１に記載する携帯式電源装置は少なくとも一以上の第１コネクタと、該第１コネクタに電気的に接続する変圧モジュールと、該変圧モジュールに電気的に接続する集電ユニットと、該集電ユニットに電気的に接続するブースタモジュールと、該ブースタモジュールに電気的に接続する少なくとも一以上の第２コネクタと、該ブースタモジュールと該変圧モジュールとに電気的に接続する無線送受信モジュールと、を具えてなる。
【０００８】
請求項２に記載する携帯式電源装置は、請求項１における第１コネクタがユニバーサル・シリアル・バスコネクタか、もしくはマイクロユニバーサル・シリアル・バスコネクタであり、かつ前記第２コネクタがユニバーサル・シリアル・バスコネクタか、もしくはマイクロユニバーサル・シリアル・バスコネクタである。
【０００９】
請求項３に記載する携帯式電源装置は、請求項１における無線送受信モジュールが電気エネルギーを受信、もしくは送信できる無線送受信モジュールであって、かつ無線送受信モジュールと二次電池を具える電子装置に非接触式充電を行う送受信モジュールである。
【００１０】
請求項４に記載する携帯式電源装置は、請求項１における電源装置がさらに該ブースタモジュールに電気的に接続する発光モジュールを具える。
【考案の効果】
【００１１】
この考案による電源装置は、携帯に便利しで使用上の利便性が得られるのみならず、電源装置自身に対する充電、もしくは電源装置から電子製品に対する充電について、非接触充電方式、もしくは有線方式のいずれをも選択できることから、さらに使用上の利便性と、実用性を高めることができる。さらに簡易な構造を有することによって、電源装置の使用寿命を延長することができ、生産コストを低減して製品の市場における競争能力を高めるという利点をも有する。
【図面の簡単な説明】
【００１２】
【図１】この考案による携帯式電源装置の構造を示したブロック図である。
【図２】図１に開示する携帯式電源装置に非接触充電方式で充電する態様を示した説明図である。
【図３】図１に開示する携帯式電源装置から非接触充電方式で電子製品に充電する態様を示した説明図である。
【図４】この考案による携帯式電源装置の使用態様を示した説明図である。
【図５】他の実施形態よる携帯式電源装置の構造を示したブロック図である。
【考案を実施するための形態】
【００１３】
この考案は、非接触充電方式と、有線方式とを具え、電源装置自身に充電する場合、もしくは電源装置から電子製品に充電する場合のいずれにおいても、充電方式を任意に選択できる携帯式電源装置を提供するものであって、
係る携帯式電源装置の構造と特徴を説明するために、具体的な実施例を挙げ、図面を参照にして以下に説明する。
【実施例１】
【００１４】
この考案による携帯式電源装置は、図１のブロック図に開示するように、電源装置１が少なくとも一以上のユニバーサル・シリアル・バスコネクタか、もしくはマイクロユニバーサル・シリアル・バスコネクタである第１コネクタ１１と、第１コネクタ１１に電気的に接続する変圧モジュール１２と、変圧モジュール１２に電気的に接続する集電ユニット１３と、集電ユニット１３に電気的に接続するブースタモジュール１４と、少なくとも一以上のユニバーサル・シリアル・バスコネクタか、もしくはマイクロユニバーサル・シリアル・バスコネクタであって、ブースタモジュール１４に電気的に接続する第２コネクタ１５と、ブースタモジュール１４と変圧モジュール１２とに電気的に接続し、かつ電気エネルギーを受信、もしくは送信できる無線送受信モジュール１６とを具えてなる。
【００１５】
上述する構造の携帯式電源装置は、図１から４に開示するように、電源装置１に対して充電する場合、電源ケーブルを介して変圧モジュール１２に出力し、変圧モジュール１２によって変圧して集電ユニット１３に蓄電するか、もしくは図２に開示するように、無線送受信モジュール１６を介して電気エネルギーを受信し、変圧モジュール１２によって変圧して集電ユニット１３に蓄電する。
【００１６】
外部の電子装置２に対して充電する場合は、集電ユニット１３からブースタモジュール１４に出力し、ブースタモジュール１４によって昇圧し、第２コネクタ１５を介して有線方式で出力して充電する。もしくは、図３に開示するように、無線送受信モジュール１６を介して非接触充電方式で電子装置２に充電してもよい。この場合、電子装置２は、無線送受信モジュール２１と、二次電池２２を具えることによって、電源装置１の無線送受信モジュール１６から送信する電気エネルギーを受信して二次電池２２に蓄電することができる。係る方式は、使用上高い利便性が得られる。
【００１７】
上述するように、この考案による携帯式電源装置は、電源ケーブルを第１コネクタ１１に接続して有線で充電する方式と、無線送受信モジュール１６を介した非接触充電方式とを任意に選択することができ、充電の過程において、変圧モジュール１２によって、例えば５Ｖから３.７Ｖに変圧して集電ユニット１３に蓄電し、また電子装置２に充電する場合は、ブースタモジュール１４によって例えば３．７Ｖから５Ｖに昇圧して出力する。
【実施例２】
【００１８】
図５に第２の実施の形態を開示する。図面によれば、第１の実施の形態とほぼ同様の構造を有するが、ブースタモジュール１４ａに電気的に接続する発光モジュール１７ａを具える点において、第１の実施の形態と異なる。電源装置１ａに充電、もしくは電源装置１ａから外部の電子装置に充電する場合、発光モジュール１７ａによって集電ユニット１３ａの蓄電量を表示する。発光モジュール１７ａは、例えば赤、黄色、緑などの色の複数の発光体を具えるようにする。
【００１９】
以上はこの考案の好ましい実施の形態であって、この考案の実施の範囲を限定するものではない。よって当業者のなしえる変更、もしくは修正であって、この考案の精神の下においてなされ、かつこの考案に対して均等の効果を有するものは、いずれもこの考案の実用新案登録請求の範囲に含まれるものとする。
【符号の説明】
【００２０】
１            電源装置
１ａ   電源装置
１１   第１コネクタ
１２   変圧モジュール
１３   集電ユニット
１４   ブースタモジュール
１５   第２コネクタ
１６   無線送受信モジュール
１７ａ 発光モジュール
２            電子装置
２１   無線送受信モジュール
２２   二次電池
【図１】
0003185217.tif 000003
【図２】
0003185217.tif 000004
【図３】
0003185217.tif 000005
【図４】
0003185217.tif 000006
【図５】
0003185217.tif 000007